(57)【要約】【課題】簡易な処理で画像の一部を保持しながら画像を投写することが可能なプロジェクタを提供する。【解決手段】プロジェクタ１は、画像入力端子３０ａから入力された画像信号を画像データに変換する画像処理部３２と、画像処理部３２が変換した１画像分の画像データを記憶するフレームメモリ３２ａと、フレームメモリ３２ａに記憶された画像データに基づいて画像を投写する投写部１０と、を備え、フレームメモリ３２ａは、画像データの書き換えを禁止して画像データを保持する保持領域と、画像処理部３２が変換した画像データを順次書き換えて記憶する書換領域とにより構成され、保持領域および書換領域の画像データにより１画像分の画像データを形成する。【選択図】図１
2009075504.tif 000002
【特許請求の範囲】
【請求項１】
画像入力端子から入力された画像信号に基づき画像を投写するプロジェクタであって、
前記画像入力端子から入力された前記画像信号を画像データに変換する画像処理部と、
前記画像処理部が変換した１画像分の画像データを記憶するフレームメモリと、
前記フレームメモリに記憶された画像データに基づいて前記画像を投写する投写部と、
を備え、
前記フレームメモリは、画像データの書き換えを禁止して画像データを保持する保持領域と、前記画像処理部が変換した画像データを順次書き換えて記憶する書換領域とにより構成され、前記保持領域および前記書換領域の画像データにより１画像分の画像データを形成することを特徴とするプロジェクタ。
【請求項２】
請求項１に記載のプロジェクタであって、
前記保持領域は、第１の指示信号によって画像データの書き換えを禁止することを特徴とするプロジェクタ。
【請求項３】
請求項２に記載のプロジェクタであって、
前記プロジェクタの動作を指示するための指示部を有し、
前記第１の指示信号は、前記指示部の指示入力操作による信号であることを特徴とするプロジェクタ。
【請求項４】
請求項１乃至３のいずれか一項に記載のプロジェクタであって、
前記保持領域と前記書換領域との境界を設定する境界設定部を有することを特徴とするプロジェクタ。
【請求項５】
請求項４に記載のプロジェクタであって、
前記境界設定部は、第２の指示信号により前記保持領域と前記書換領域との境界を設定することを特徴とするプロジェクタ。
【請求項６】
請求項５に記載のプロジェクタであって、
前記プロジェクタの動作を指示するための指示部を有し、
前記第２の指示信号は、前記指示部の指示入力操作による信号であることを特徴とするプロジェクタ。
【発明の詳細な説明】
【技術分野】
【０００１】
本発明は、入力された画像信号に基づき画像を投写するプロジェクタに関する。
【背景技術】
【０００２】
従来、プロジェクタの使用においては、プロジェクタに、画像ケーブルを介して画像供給装置（パーソナルコンピュータ（ＰＣ）等）を接続して画像の投写表示を行う。このように画像投写を行う際に、画像の一部を保持しながら画像を投写させたい場合は、画像供給装置内で画像の処理を行い、プロジェクタでその画像の投写を行っていた。例えば、ＰＣアプリケーションソフトウェアであるマイクロソフト社のＥｘｃｅｌでは、画面（画像）を分割することによって画面の一部（例えば、上側や左側）を保持したままで、その他の部分の画面をスクロールする機能（以降、「部分スクロール」と呼ぶ）を有している。このように、投写する画像の一部を保持するためには、画像供給装置上でＰＣアプリケーションソフトウェアが有する機能を利用していた。
【０００３】
また、特許文献１では、プロジェクタとして、外部から入力された画像を加工する等の画像処理を行い、その画像を投写表示するものが開示されている。
【０００４】
【特許文献１】特開２００１−３５６４０５号公報
【発明の開示】
【発明が解決しようとする課題】
【０００５】
しかし、このようなプロジェクタでは、画面を分割することができないＰＣアプリケーションソフトウェアを使用する場合は、画像の一部を保持しながら画像を投写することができないため、プレゼンテーション等を行う際の利便性において課題があった。また、特許文献１のプロジェクタにおいては、画像を加工する処理が複雑になるという課題があった。従って、表示画面の分割が可能なＰＣアプリケーションソフトウェアを必要とせず、また、簡易な処理で画像の一部を保持しながら画像を投写することが可能なプロジェクタが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、画像入力端子から入力された画像信号に基づき画像を投写するプロジェクタであって、前記画像入力端子から入力された前記画像信号を画像データに変換する画像処理部と、前記画像処理部が変換した１画像分の画像データを記憶するフレームメモリと、前記フレームメモリに記憶された画像データに基づいて前記画像を投写する投写部と、を備え、前記フレームメモリは、画像データの書き換えを禁止して画像データを保持する保持領域と、前記画像処理部が変換した画像データを順次書き換えて記憶する書換領域とにより構成され、前記保持領域および前記書換領域の画像データにより１画像分の画像データを形成することを特徴とする。
【０００８】
このようなプロジェクタによれば、画像処理部は入力された画像信号を画像データに変換し、フレームメモリは１画像分の画像データを記憶する。フレームメモリは、画像データの書き換えを禁止して画像データを保持する保持領域と、画像処理部が変換した画像データを順次書き換えて記憶する書換領域とによって構成され、保持領域および書換領域によって１画像分の画像データを形成する。そして、投写部は、フレームメモリに記憶された画像データに基づいて画像を投写する。これにより、フレームメモリの保持領域に該当する画像データは保持され、書換領域に該当する画像データは、入力されている画像信号に基づいて書き換えられる。よって、１画像分のフレームメモリを使用して、簡易な方法で、保持されている画像と書き換えられた画像を同時に投写することが可能となる。
【０００９】
［適用例２］上記適用例に係るプロジェクタにおいて、前記保持領域は、第１の指示信号によって画像データの書き換えを禁止することを特徴とする。
【００１０】
このようなプロジェクタによれば、保持領域は、第１の指示信号によって、画像データの書き換えを禁止する。これにより、保持領域は、第１の指示信号を受信する直前の画像データを保持することができる。
【００１１】
［適用例３］上記適用例に係るプロジェクタにおいて、前記プロジェクタの動作を指示するための指示部を有し、前記第１の指示信号は、前記指示部の指示入力操作による信号であることを特徴とする。
【００１２】
このようなプロジェクタによれば、保持領域は、指示部の指示入力操作によって、画像データの書き換えを禁止する。ここで、指示部の指示入力操作とは、ユーザによる所定キーの操作とすると、ユーザは所望のタイミングで保持領域の画像データを保持させることができる。
【００１３】
［適用例４］上記適用例に係るプロジェクタにおいて、前記保持領域と前記書換領域との境界を設定する境界設定部を有することを特徴とする。
【００１４】
このようなプロジェクタによれば、境界設定部は、保持領域と書換領域との境界（以降、「保持境界」と呼ぶ）を設定する。これにより、フレームメモリ上の保持領域を可変に設定することができる。
【００１５】
［適用例５］上記適用例に係るプロジェクタにおいて、前記境界設定部は、第２の指示信号により前記保持領域と前記書換領域との境界を設定することを特徴とする。
【００１６】
このようなプロジェクタによれば、境界設定部は、第２の指示信号により保持境界を設定する。これにより、第２の指示信号によって投写画像上の保持領域を設定することができる。
【００１７】
［適用例６］上記適用例に係るプロジェクタにおいて、前記プロジェクタの動作を指示するための指示部を有し、前記第２の指示信号は、前記指示部の指示入力操作による信号であることを特徴とする。
【００１８】
このようなプロジェクタによれば、境界設定部は、指示部の指示入力操作によって、保持境界を設定する。ここで、指示部の指示入力操作とは、ユーザによる所定キーの操作とすると、ユーザは所望の位置に境界を設定し、保持領域を設定することができる。
【発明を実施するための最良の形態】
【００１９】
以下、実施形態について説明する。
【００２０】
（第１の実施形態）
図１は、第１の実施形態に係るプロジェクタの概略構成を示すブロック図である。図１を使用して、プロジェクタ１の内部構成について説明する。
【００２１】
プロジェクタ１は、画像の投写を行う投写部１０、制御部２０、指示部としての入力操作部２１、入力端子群３０、入力ソース選択部３１、画像処理部３２、フレームメモリ３２ａ、境界設定部３３、ＯＳＤ処理部３４を備えている。また、図１には、プロジェクタ１の外部に、スクリーンＳＣを図示している。
【００２２】
投写部１０は、超高圧水銀ランプやメタルハライドランプ等の放電型光源やＬＥＤ（Light Emitting Diode）等の固体型光源からなる光源１１と、光変調装置としての液晶ライトバルブ１２と、投写光学系としての投写レンズ１３と、液晶ライトバルブ１２を駆動するライトバルブ駆動部１４とを備えている。
【００２３】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２４】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２５】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００２６】
入力操作部２１は、プロジェクタ１に対して各種指示を行うための複数のキー等を備えている。入力操作部２１が備えるキーとしては、電源のオン／オフを行うための「電源キー」や、入力ソースを切り換えるための「入力ソース切換キー」、各種設定を行うためのメニュー画面の表示／非表示を切り換える「メニューキー」、メニュー画像におけるカーソルの移動等に用いられる「カーソルキー」、画像上に保持境界を表示するための「境界ライン表示キー」、各種設定を決定するための「決定キー」等がある。ユーザが入力操作部２１を操作すると、入力操作部２１は、ユーザの操作内容に応じた操作信号を制御部２０に出力する。なお、入力操作部２１は、リモコン信号受信部（図示せず）を有し、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部がこれを受信して制御部２０に伝達する。
【００２７】
入力端子群３０は、ＰＣやビデオ再生装置等、図示しない外部の画像供給装置から、各種形式の画像信号を入力可能な複数の画像入力端子３０ａを備えている。各画像入力端子３０ａに入力された画像信号は、入力ソース選択部３１に供給される。
【００２８】
入力ソース選択部３１は、複数の画像入力端子３０ａのうち、制御部２０の指示に基づく１つの画像入力端子３０ａを選択し、この画像入力端子３０ａに入力される画像信号を画像処理部３２に出力する。ユーザが、入力操作部２１に備わる入力ソース切換キーを操作して所望の画像入力端子３０ａを指定すると、制御部２０は、この画像入力端子３０ａに入力されている画像信号が画像処理部３２に出力されるよう、入力ソース選択部３１に指示をする。
【００２９】
画像処理部３２は、入力ソース選択部３１から出力された画像信号を入力し、画像信号に基づいた画像データを１画素ずつ生成し、内蔵するフレームメモリ３２ａに記憶する。ここで、フレームメモリ３２ａは、１画像分の画像データを記憶するメモリである。そして、制御部２０からの指示により、画像処理部３２は、フレームメモリ３２ａ内の画像データに対して各種画像データ処理（画像処理、台形歪補正処理、画質調整処理等）を施し、ＯＳＤ処理部３４に出力する。
【００３０】
境界設定部３３は、ユーザが入力操作部２１の各種キーを操作することによって設定した画像上の保持境界の位置情報を、制御部２０を介して入力し、フレームメモリ３２ａに保持境界を設定する。保持境界の位置情報は、画像上の走査線のライン番号等の値とする。また、境界設定部３３は、ＯＳＤ処理部３４に画像上の保持境界の情報を出力する。
【００３１】
フレームメモリ３２ａは、通常は入力された１画像分の画像信号に基づき変換された１画像分の画像データを順次記憶する１つの領域として扱われるが、境界設定部３３によって保持境界が設定されると、保持領域と書換領域とに分割される。
図２は、フレームメモリが分割設定された場合の表示図である。境界設定部３３によって、フレームメモリ３２ａに保持境界Ｌａ１が設定されると、フレームメモリ３２ａは保持領域３２ａ１および書換領域３２ａ２に分割される。保持領域３２ａ１が設定されると、保持領域３２ａ１に記憶された画像データの書き換えが禁止され、禁止される直前に記憶した画像データを保持し続ける。また、書換領域３２ａ２は、保持領域３２ａ１が設定された後も、画像処理部３２が画像信号に基づいて生成した画像データを、順次記憶し続ける。
【００３２】
図１に戻り、ＯＳＤ処理部３４は、制御部２０の指示に基づいて、メニュー画像やメッセージ画像等のＯＳＤ（オンスクリーンディスプレイ）画像を、画像処理部３２から入力される画像データに重畳するための処理を行う。ＯＳＤ処理部３４は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部３４は、必要なＯＳＤ画像データをＯＳＤメモリから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３４は、画像処理部３２から出力される画像データを、そのままライトバルブ駆動部１４に出力する。
【００３３】
また、ＯＳＤ処理部３４は、制御部２０からの指示により、フレームメモリ３２ａの保持境界Ｌａ１を決定するための境界ラインを画像上に重畳する。
図３は、入力画像および投写画像の表示図である。同図（ａ）は、画像信号として入力される入力画像の表示図であり、同図（ｂ）は、境界ラインを画像に重畳した投写画像の表示図である。
ユーザが入力操作部２１の境界ライン表示キーを操作することによって、図３（ａ）に示すような入力された入力画像ＩＧ１に対して、ＯＳＤ処理部３４は、図３（ｂ）に示すように境界ラインＬ１を重畳し、画像ＯＧ１を生成する。
【００３４】
本実施形態では、境界ラインＬ１は投写画像に水平な破線とし、投写画像に向かって上下方向に移動可能としている。ユーザは、境界ラインＬ１が表示された状態で入力操作部２１のカーソルキーを操作し、所望の位置に境界ラインＬ１を移動させ、決定キーによって決定する。これにより、境界設定部３３はフレームメモリ３２ａに保持境界Ｌａ１を設定する。なお、境界ラインＬ１は破線に限定するものではない。
【００３５】
上記の境界ラインＬ１を決定キーによって決定するユーザの操作が、指示部の指示入力操作であり、第１の指示信号および第２の指示信号に相当する。なお、本実施形態では、境界ラインＬ１を決定キーによって決定する操作によって、第１の指示信号および第２の指示信号を同時に出力しているが、保持境界Ｌａ１の設定（第２の指示信号）を先に行い、その後、保持領域３２ａ１を書き換え禁止（第１の指示信号）としてもよい。
【００３６】
また、本実施形態では、保持領域３２ａ１が設定された際（つまり、保持境界Ｌａ１を決定し、保持領域３２ａ１が書き換え禁止となっている際）、境界ラインＬ１を表示するか否かをユーザが設定できるものとしている。
図４は、境界ライン表示設定画面の表示図である。境界ライン表示設定画面Ｍ１とは、保持境界Ｌａ１を設定（つまり、保持領域３２ａ１を設定）した際に、投写画像上に境界ラインＬ１を表示するか否かの設定操作を受け付ける画面である。境界ライン表示設定画面Ｍ１では、ユーザは、入力操作部２１を操作することによって、「はい」（表示する）または「いいえ」（表示しない）のいずれかを選択する。ユーザが「はい」を選択した場合は、プロジェクタ１は、保持境界Ｌａ１を設定した際の境界ラインＬ１を画像に重畳し続ける。また、ユーザが「いいえ」を選択した場合は、プロジェクタ１は、保持境界Ｌａ１を設定した際に画像から境界ラインＬ１を消去する。
【００３７】
境界ラインＬ１を表示することによって、プロジェクタ１を操作しているユーザおよび聴衆は、画像の一部が保持されていることを容易に認識することができる。また、境界ラインＬ１を消去することは、聴衆に画像の一部が保持されていることを認識させたくない場合や、境界ラインＬ１を見せたくない場合に有効である。なお、本実施形態では、境界ラインＬ１は表示するように設定している。
【００３８】
図１に戻り、ライトバルブ駆動部１４が、入力される画像データに従って液晶ライトバルブ１２を駆動すると、液晶ライトバルブ１２は、画像データに応じた画像を形成し、この画像が投写レンズ１３からスクリーンＳＣに投写される。
【００３９】
次に、本実施形態のプロジェクタ１の動作について説明する。
プロジェクタ１に外部からＡＣ１００Ｖ等の商用電源が供給されると、電源回路（図示せず）は、制御部２０、入力操作部２１等に電力（スタンバイ電力）の供給を行う。制御部２０は、この電力供給を受けて、制御プログラムに従った動作を開始する。商用電源が供給された直後には、プロジェクタ１は、スタンバイ状態であり、この状態では、制御部２０は、入力操作部２１の電源キーに対する操作（オン操作）を監視する。そして、このオン操作を検知すると、制御部２０は、電源回路に指示をして画像の投写等に必要なメイン電力の供給を開始させ、プロジェクタ１をオン状態とするとともに、光源１１を点灯させる等の必要な初期動作を行う。この結果、プロジェクタ１に入力された画像信号に応じた画像が投写部１０から投写される。
【００４０】
上述したように画像が投写されている状態において、ユーザが入力操作部２１を操作して境界ラインＬ１の位置を決定することで保持境界Ｌａ１を設定すると、プロジェクタ１は、次に説明する画像保持処理を行う。
【００４１】
図５は、プロジェクタの画像保持処理のフローチャートである。入力した画像信号を画像データに変換する際に、プロジェクタ１は、図５に示すフローに従って動作する。
【００４２】
制御部２０からの指示により、画像処理部３２は入力された画像信号を解析し、１画素分の画像データを生成する（ステップＳ１００）。画像処理部３２は、生成した１画素分の画像データが保持領域３２ａ１に該当する画素か否かを判断する（ステップＳ１０１）。保持領域３２ａ１に該当する画素か否かは、その画素が位置する画像上の走査線のライン番号によって判断することができる。生成した１画素分の画像データが保持領域３２ａ１に該当しなければ（ステップＳ１０１：ＮＯ）、その１画素分の画像データをフレームメモリ３２ａの該当する位置に記憶させる（ステップＳ１０２）。生成した１画素分の画像データが保持領域３２ａ１に該当すれば（ステップＳ１０１：ＹＥＳ）、その画素データはフレームメモリ３２ａには記憶させずに、ステップＳ１０３へ移行する。
【００４３】
次に、画像処理部３２は、１画面（画像）分の画像データ生成が終了したか否かを判断する（ステップＳ１０３）。１画面分の画像データ生成が終了していなければ（ステップＳ１０３：ＮＯ）、ステップＳ１００に移行し、次の１画素分の画像データを生成し、処理を繰り返す。
【００４４】
１画面（画像）分の画像データ生成が終了したら（ステップＳ１０３：ＹＥＳ）、画像処理部３２は、フレームメモリ３２ａに記憶された１画面（画像）分の画像データをＯＳＤ処理部３４に出力する（ステップＳ１０４）。
【００４５】
図６は、画像保持処理を行ったときの入力画像および投写画像の表示図である。同図（ａ）は、画像信号として入力される入力画像の表示図であり、同図（ｂ）は、画像保持処理を行った投写画像の表示図である。
ユーザにより前述した図３（ｂ）の位置に境界ラインＬ１が決定され、保持境界Ｌａ１の設定が行われた後、図６（ａ）のような入力画像ＩＧ２が画像信号として入力されると、プロジェクタ１は上述した画像保持処理を行うことによって、図６（ｂ）のような画像ＯＧ２を表示する。画像ＯＧ２では、境界ラインＬ１の画像に向かって上方向の領域が保持領域３２ａ１に該当しており、図３（ｂ）の画像ＯＧ１がそのまま保持されている。また、境界ラインＬ１の画像に向かって下方向の領域が書換領域３２ａ２に該当しており、入力画像ＩＧ２の画像が表示されている。なお、境界ライン表示設定画面Ｍ１によって、境界ラインＬ１を表示するように設定しているため、画像ＯＧ２では境界ラインＬ１を表示しているが、表示しないものとしてもよい。
【００４６】
上述した実施形態によれば、以下の効果が得られる。
（１）ユーザによって投写画像上で保持境界Ｌａ１が設定された場合、プロジェクタ１は、投写画像のフレームメモリ３２ａの保持領域３２ａ１に該当する部分の画像データは保持し、書換領域３２ａ２に該当する部分は、入力されている画像信号に基づいて書き換える。これにより、プロジェクタ１は、画像に向かって上方向の一部の画像を保持した画像を投写することが可能となる。例えば、ユーザは入力画像のタイトル（題目）部分を保持領域３２ａ１として設定して、ＰＣ等の画像供給装置内で画像を上下方向にスクロールすることで、ＰＣアプリケーションソフトウェアの機能を利用することなく、上下方向の部分スクロールを実現することができる。よって、プレゼンテーション等の利便性が向上する。
【００４７】
（２）プロジェクタ１は、入力した画像信号を画像データとしてフレームメモリ３２ａに記憶する際に、保持領域３２ａ１（書き換え禁止の領域）か否かを判断しているため、簡易な判断処理によって画像の一部を保持することができる。また、この判断処理では、１画像分のフレームメモリ３２ａを使用するだけで、画像の保持を行うことができる。よって、プロジェクタ１に複数画像分のフレームメモリを備える必要がなく、複数画像を合成することで１画像を生成する方法と比べて少ないフレームメモリ容量で、画像の一部を保持しながら画像を投写することが可能となる。
【００４８】
（３）プロジェクタ１は、ユーザによる境界ラインＬ１の決定操作によって、保持領域３２ａ１の画像データの書き換えの禁止を開始する。これにより、ユーザは所望のタイミングで保持領域３２ａ１の画像データを保持させることができる。
【００４９】
（４）プロジェクタ１は、ユーザによる境界ラインＬ１の決定操作によって、保持境界Ｌａ１を設定し、保持領域３２ａ１を設定する。これにより、ユーザは投写画像上の所望の位置に保持境界Ｌａ１を設定し、所望の領域を保持領域３２ａ１とすることができる。
【００５０】
（第２の実施形態）
以下、第２の実施形態について説明する。
【００５１】
本実施形態に係るプロジェクタ２は、フレームメモリ３２ａに設定する保持境界の設定方向が第１の実施形態と異なる。その他の構成等は第１の実施形態と同様である。
図７は、第２の実施形態に係るプロジェクタのフレームメモリが分割設定された場合の表示図である。
本実施形態では、保持境界Ｌａ２は、画像に向かって垂直な境界線としている。境界設定部３３によって、フレームメモリ３２ａに保持境界Ｌａ２が設定されると、保持領域３２ａ３および書換領域３２ａ４に分割される。そして、保持領域３２ａ３は保持境界Ｌａ２の左側の領域となり、書換領域３２ａ４は右側の領域となる。
【００５２】
図８は、第２の実施形態に係るプロジェクタの入力画像および投写画像の表示図である。同図（ａ）は、画像信号として入力される入力画像の表示図であり、同図（ｂ）は、境界ラインを画像に重畳した投写画像の表示図である。
ユーザが入力操作部２１の境界ライン表示キーを操作することによって、図８（ａ）に示すような入力画像ＩＧ３に対して、ＯＳＤ処理部３４は、図８（ｂ）に示すように境界ラインＬ２を重畳し、画像ＯＧ３を生成する。保持境界Ｌａ２が画像に向かって垂直であるため、境界ラインＬ２も画像に向かって垂直となる。
【００５３】
本実施形態では、境界ラインＬ２は投写画像に垂直な破線とし、投写画像に向かって左右方向に移動可能としている。ユーザは、境界ラインＬ２が表示された状態で入力操作部２１のカーソルキーを操作することで、所望の位置に境界ラインＬ２を移動させる。なお、境界ラインＬ２は破線に限定するものではない。
【００５４】
本実施形態では、保持境界Ｌａ２の位置情報は、画像上の走査線上の画素の番号とする。よって、画像処理部３２は、画像信号から生成した１画素分の画像データが保持領域３２ａ３に該当する画素か否かを判断する際には、その画素が位置する画像の各走査線上の画素の番号（順番）によって判断する。生成した１画素分の画像データが保持領域３２ａ３に該当しなければ（つまり、書換領域３２ａ４に該当すれば）、画像処理部３２は、その１画素分の画像データをフレームメモリ３２ａの該当する位置に記憶させる。生成した１画素分の画像データが保持領域３２ａ３に該当すれば、画像処理部３２はその画素データをフレームメモリ３２ａには記憶させない。
【００５５】
図９は、第２の実施形態に係るプロジェクタの入力画像および投写画像の表示図である。同図（ａ）は、画像信号として入力される入力画像の表示図であり、同図（ｂ）は、画像保持処理を行った投写画像の表示図である。
前述した図８（ｂ）の位置に境界ラインＬ２を決定し、保持境界Ｌａ２の設定を行った後、図９（ａ）のような画像ＩＧ４が画像信号として入力されると、プロジェクタ２は画像保持処理を行うことによって、図９（ｂ）のような画像ＯＧ４を表示する。画像ＯＧ４では、境界ラインＬ２の画像に向かって左方向の領域が保持領域３２ａ３となっており、図８（ｂ）の画像ＯＧ３がそのまま保持されている。また、境界ラインＬ２の画像に向かって右方向の領域が書換領域３２ａ４となっており、画像ＩＧ４の画像が表示されている。
【００５６】
上述した第２の実施形態によれば、第１の実施形態での効果（１）〜（４）と同様の効果を奏することができる。他に、以下の効果が得られる。
ユーザによって投写画像上で保持境界Ｌａ２が設定された場合、プロジェクタ２は、投写画像のフレームメモリ３２ａの保持領域３２ａ３に該当する部分の画像データを保持する。これにより、プロジェクタ２は、画像に向かって左方向の一部の画像を保持した画像を投写する。例えば、ユーザは入力画像のタイトル（題目）部分を保持領域３２ａ３として設定して、ＰＣ等の画像供給装置内で画像を左右方向にスクロールすることで、ＰＣアプリケーションソフトウェアの機能を利用することなく、左右方向の部分スクロールを実現することができる。よって、プレゼンテーション等の利便性が向上する。
【００５７】
（変形例１）上記第１の実施形態では、保持領域３２ａ１は投写画像に向かって上方向とし、第２の実施形態では、保持領域３２ａ３は投写画像に向かって左方向としたが、いずれかを選択できるものとしてもよい。また、両方を同時に選択できるものとしてもよい。例えば、プロジェクタにソフトウェアとして実装する機能設定メニューに、「保持領域方向設定」項目を設け、ユーザが入力操作部２１を操作することによって、保持領域の方向を設定できるものとする。こうすれば、ユーザは、投写する画像の内容に応じて、上方向または左方向もしくは両方を選択することが可能となる。
また、任意の領域を保持領域とすることも可能である。保持領域の範囲（保持境界の位置情報）として、画像上の走査線のライン番号および画素の番号を指定することで、プロジェクタは保持領域（書き換え禁止の領域）を判断し、画像保持処理を行うことができる。こうすれば、例えば、画像内に矩形状の保持領域を設定することも可能である。
【００５８】
（変形例２）上記実施形態では、入力ソース選択部３１は１つの画像信号を選択するものとしたが、複数の画像信号を選択可能とし、保持領域３２ａ１，３２ａ３に保持している画像と、書換領域３２ａ２，３２ａ４に表示する画像を別のソースの画像信号としてもよい。
【００５９】
（変形例３）上記第１の実施形態および第２の実施形態では、ＰＣ等から静止画を入力し、部分スクロールする場合を例として説明しているが、ビデオ再生装置等の動画を入力してもよい。これにより、例えば、ユーザが気に入った画像の一部を保持領域として保持させ、その他の領域を書換領域として動画像を投写させることができる。なお、保持領域を設定する際には、ビデオ再生装置側で動画を一時停止させることで、設定が容易になる。
【００６０】
（変形例４）上記実施形態では、光変調装置として透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００６１】
（変形例５）上記実施形態では、プロジェクタを例にして説明しているが、透過型のスクリーンを一体的に備えたリアプロジェクタ等に適用することも可能である。
【図面の簡単な説明】
【００６２】
【図１】第１の実施形態に係るプロジェクタの概略構成を示すブロック図。
【図２】フレームメモリが分割設定された場合の表示図。
【図３】入力画像および投写画像の表示図であり、（ａ）は、画像信号として入力される入力画像の表示図、（ｂ）は、境界ラインを画像に重畳した投写画像の表示図。
【図４】境界ライン表示設定画面の表示図。
【図５】プロジェクタの画像保持処理のフローチャート。
【図６】画像保持処理を行ったときの入力画像および投写画像の表示図であり、（ａ）は、画像信号として入力される入力画像の表示図、（ｂ）は、画像保持処理を行った投写画像の表示図。
【図７】第２の実施形態に係るプロジェクタのフレームメモリが分割設定された場合の表示図。
【図８】プロジェクタの入力画像および投写画像の表示図であり、（ａ）は、画像信号として入力される入力画像の表示図、（ｂ）は、境界ラインを画像に重畳した投写画像の表示図。
【図９】プロジェクタの入力画像および投写画像の表示図であり、（ａ）は、画像信号として入力される入力画像の表示図、（ｂ）は、画像保持処理を行った投写画像の表示図。
【符号の説明】
【００６３】
１，２…プロジェクタ、１０…投写部、１１…光源、１２…液晶ライトバルブ、１３…投写レンズ、１４…ライトバルブ駆動部、２０…制御部、２１…入力操作部、３０…入力端子群、３０ａ…画像入力端子、３１…入力ソース選択部、３２…画像処理部、３２ａ…フレームメモリ、３２ａ１，３２ａ３…保持領域、３２ａ２，３２ａ４…書換領域、３３…境界設定部、３４…ＯＳＤ処理部。
【図１】
2009075504.tif 000003
【図２】
2009075504.tif 000004
【図３】
2009075504.tif 000005
【図４】
2009075504.tif 000006
【図５】
2009075504.tif 000007
【図６】
2009075504.tif 000008
【図７】
2009075504.tif 000009
【図８】
2009075504.tif 000010
【図９】
2009075504.tif 000011